(57)【特許請求の範囲】
【請求項１】
表示面側の基板上に、表示ライン毎に放電ギャップを挟んで配置された第１及び第２の維持電極と、前記第１及び第２の維持電極を被覆する誘電体層とを有し、前記表示面側の基板と放電空間を挟んで対向する背面側の基板上に第１及び第２の維持電極と直交する方向に配列され各交差部にて放電セルを形成するアドレス電極とを有し、前記第１及び第２の維持電極は、各々透明導電膜と前記透明導電膜の前記放電ギャップから離れた位置に積層された金属膜とから構成され、前記第１の維持電極と前記第２の維持電極のギャップが、すべての前記放電ギャップを構成し、前記第１及び第２の維持電極は、前記放電ギャップに対する配置関係が１ライン毎に交互に入れ替わるように配列されると共に前記第１の維持電極は隣接する表示ラインに対して共通に配置され、前記金属膜上の前記誘電体層の表面は、他の部分に対して突出した面放電型プラズマディスプレイパネルの駆動方法であって、
前記第１及び第２の維持電極の間にリセットパルスを印加してパネルの全面又は一部の領域の全放電セルを放電をさせ壁電荷を形成するリセット期間と、表示データに応じて点灯及び消灯画素を選択するアドレス期間と、前記第１及び第２の維持電極に交互に放電維持パルスを印加して前記点灯及び消灯画素を維持する維持放電期間とを用いて表示を行うと共に前記リセットパルスは前記放電維持パルスに比して十分長い時定数を有することを特徴とする面放電型プラズマディスプレイパネルの駆動方法。
【請求項２】
前記面放電型プラズマディスプレイパネルは、前記背面側の基板の内面に、前記放電空間を前記第１及び第２の維持電極の延長方向に沿って前記放電セル毎に区画する平面形状がストライプ状の隔壁を有してなることを特徴とする請求項１記載の面放電型プラズマディスプレイパネルの駆動方法。
【請求項３】
前記第１及び第２の維持電極は、前記放電セル毎に前記放電ギャップを介して互いに対向する突出部を有してなることを特徴とする請求項１又は２記載の面放電型プラズマディスプレイパネルの駆動方法。
【請求項４】
前記突出部は、前記放電ギャップ近傍の幅広部とそれに続く幅狭部とから構成されてなることを特徴とする請求項３記載の面放電型プラズマディスプレイパネルの駆動方法。
【請求項５】
さらに、隣接する前記第２の維持電極間上の前記誘電体の表面は、他の部分に対して突出していることを特徴とする請求項１記載の面放電型プラズマディスプレイパネルの駆動方法。
【発明の詳細な説明】
【０００１】
【発明の属する技術分野】
本発明は、面放電型プラズマディスプレイパネル（ＰＤＰ）及びその駆動方法に関する。
【０００２】
【従来の技術】
面放電型ＰＤＰは、表示の１ライン（行）に対応した対となる維持電極Ｘ、Ｙを同一基板上に隣接配置したＰＤＰである。
従来の面放電型ＰＤＰでは、維持電極Ｘ、Ｙが交互に配置された電極構成となっている。このような電極構成では、ライン間においても寄生容量が存在し維持電極Ｘと維持電極Ｙが隣り合うので、ライン間に電位差が生じ、またライン間に寄生容量が存在する。従って、ライン間での不要な面放電を防止すると共に消費電力の増大を招くライン間の寄生容量を低減するために、ライン間の電極間隔を十分大きくとる必要があり、このため、ラインピッチの縮小による高精細化が困難であった。
【０００３】
最近、このような問題を解決するために図４に示すように、維持電極Ｘ、Ｙを放電ギャップＧに対する配置関係が１ラインＬ毎に交互に入れ替わるように配列すると共に同一の駆動信号が供給される維持電極Ｘ１、２とＸ３、４を、ラインＬ毎に順次選択駆動される維持電極Ｙの相隣る２本の維持電極（Ｙ１とＹ２、Ｙ３とＹ４）間に共通に配置する電極構成が提案されている。
ここで、維持電極Ｘ、Ｙは、表示面側の基板に配置され、透明導電膜からなる透明電極２とその導電性を補うために積層された金属膜からなるバス電極３とで構成され、誘電体層で覆われている。
【０００４】
かかるＰＤＰの駆動に際し、単位表示期間は、一斉リセット期間、アドレス期間、維持放電期間及び壁電荷消去期間に分離され、図５に示すように、一斉リセット期間では維持電極Ｘ、ＹにリセットパルスＲＰｘ、ＲＰｙを印加して全放電セルを一旦放電させ初期化し、アドレス期間では選択書込みアドレス法又は選択消去アドレス法によってアドレス電極に表示データパルスＤＰを印加すると共に維持電極Ｙに走査パルスＳＰを印加して１ラインずつ順に点灯すべき放電セルのみに壁電荷を蓄積させ、続く維持放電期間では、全ライン同時に各維持電極Ｘ、Ｙに対して各々同位相の放電維持パルスＩＰｘ、ＩＰｙを交互に印加して維持放電発光を行わせ、壁電荷消去期間では、壁電荷消去パルスＥＰを維持電極に印加している。
【０００５】
【発明が解決しようとする課題】
上述のように一方の維持電極Ｘを隣接する表示ラインに対して共通に配置した電極構成では、維持電極Ｘの本数を半分にすることができ、高精細パネルを得ることができるが、維持電極Ｘが隣接する２ラインで共通になっているので、隔壁がストライプ状に構成されていると、放電が維持電極Ｘを介して上方又は下方に広がり上下に隣接する放電セルに飛び移り誤放電が生じやすくなる。また、隣接する維持電極Ｙ間においても、その間隔が狭いと同様に放電が上下に広がり誤放電が生じやすくなる。
このような放電が上下に広がることを防止するために隔壁１０を井桁状（格子状）に形成して放電空間を放電セル毎に区画することが考えられるが井桁状の隔壁１０を高精度に歩留まり良く形成するのは非常に困難であった。
本発明は、上述の問題に鑑みてなされたもので、面放電型プラズマディスプレイパネルの高精細化及び表示品質の向上を図ることを目的とする。
【０００６】
【課題を解決するための手段】
請求項１の発明は、表示面側の基板上に、表示ライン毎に放電ギャップを挟んで配置された第１及び第２の維持電極と、第１及び第２の維持電極を被覆する誘電体層とを有し、表示面側の基板と放電空間を挟んで対向する背面側の基板上に第１及び第２の維持電極と直交する方向に配列され各交差部にて放電セルを形成するアドレス電極とを有し、第１及び第２の維持電極は、各々透明導電膜と透明導電膜の前記放電ギャップから離れた位置に積層された金属膜とから構成され、第１の維持電極と第２の維持電極のギャップが、すべての放電ギャップを構成し、第１及び第２の維持電極は、放電ギャップに対する配置関係が１ライン毎に交互に入れ替わるように配列されると共に第１の維持電極は隣接する表示ラインに対して共通に配置され、金属膜上の誘電体層の表面は、他の部分に対して突出した面放電型プラズマディスプレイパネルの駆動方法であって、第１及び第２の維持電極の間にリセットパルスを印加してパネルの全面又は一部の領域の全放電セルを放電をさせ壁電荷を形成するリセット期間と、表示データに応じて点灯及び消灯画素を選択するアドレス期間と、第１及び第２の維持電極に交互に放電維持パルスを印加して点灯及び消灯画素を維持する維持放電期間とを用いて表示を行うと共にリセットパルスは放電維持パルスに比して十分長い時定数を有することを特徴とする。
【０００７】
請求項２記載の発明は、請求項１記載の面放電型プラズマディスプレイパネルの駆動方法において、面放電型プラズマディスプレイパネルは、背面側の基板の内面に、放電空間を第１及び第２の維持電極の延長方向に沿って放電セル毎に区画する平面形状がストライプ状の隔壁を有してなることを特徴とする。
【０００８】
請求項３記載の発明は、請求項１又は２に記載の面放電型プラズマディスプレイパネルの駆動方法において、第１及び第２の維持電極は、放電セル毎に前記放電ギャップを介して互いに対向する突出部を有してなることを特徴とする。
【０００９】
請求項４記載の発明は、請求項３記載の面放電型プラズマディスプレイパネルの駆動方法において、突出部は、放電ギャップ近傍の幅広部とそれに続く幅狭部とから構成されてなることを特徴とする。
【００１０】
請求項５記載の発明は、請求項１記載の面放電型プラズマディスプレイパネルの駆動方法において、さらに、隣接する第２の維持電極間上の誘電体の表面は、他の部分に対して突出していることを特徴とする。
【００１１】
【作用】
表示ライン毎に放電ギャップを挟んで配置され各々透明導電膜とそれに積層された金属膜から構成される第１及び第２の維持電極を、放電ギャップに対する配置関係が１ライン毎に交互に入れ替わるように配列すると共に第１及び第２の維持電極の内少なくとも第１の維持電極を隣接する表示ラインに対して共通に配置し、放電ギャップから離れた位置に積層された金属膜上の誘電体層の表面を他の部分に対して突出させることにより、放電開始電圧を高め上下方向への放電の広がりが抑制される。また、長時定数のリセットパルスを用いることにより、リセット放電を弱め、その後の放電を放電セル中央（放電ギャップ近傍）に集中させることができるので、コントラストが向上でき、上下方向への放電の広がりがより一層抑制される。
【００１２】
【発明の実施の形態】
図１は、本発明の実施形態による面放電型ＰＤＰの断面図であり、図２は平面図である。図１及び図２を用いて面放電型ＰＤＰの構造を説明する。
図１に示すように、表示面側の基板１の内側に、表示ライン毎に放電ギャップＧを挟んで配置された第１の維持電極Ｘ及び第２の維持電極Ｙとで構成される維持電極が形成されている。この維持電極Ｘ、Ｙは放電ギャップＧに対する配置関係が表示ライン毎に交互に入れ替わるように配列すると共に、同一の後述する駆動信号が供給される維持電極Ｘ１、２とＸ３、４を、表示ライン毎に順次選択駆動される維持電極Ｙの相隣る２本の維持電極（Ｙ１とＹ２、Ｙ３とＹ４）間に共通に配置している。
【００１３】
また、維持電極Ｘ、Ｙは、透明導電膜からなる透明電極２と、この透明電極２の放電ギャップＧから離れた位置に透明電極２の幅よりも狭い範囲に積層された金属膜からなるバス電極３とで構成されている。
この維持電極Ｘを構成するバス電極３の幅Ｗ２は、維持電極Ｙを構成するバス電極３の幅Ｗ１に対して略２倍の幅で形成されている。また、維持電極Ｘ、Ｙの表面上には、誘電体層４が形成され、バス電極３の幅に相当する範囲は他の部分に対して突出するように形成されている。即ち、維持電極Ｘを構成するバス電極３の部分では、幅Ｗ２に相当する範囲を他の部分よりも嵩上げしている。
【００１４】
同様に、維持電極Ｙを構成するバス電極３に対しても嵩上げが行われ、図１に示すように維持電極Ｙ１及びＹ４の場合は、幅Ｗ１に相当する範囲を嵩上げし、維持電極Ｙ２、３の場合は、維持電極Ｙ２、３のバス電極３を包括する範囲を嵩上げしている。
また、図２に示すように維持電極Ｘ、Ｙは、放電セル毎に放電ギャップＧを介して互いに対向する突出部を有している。突出部は、放電ギャップＧ近傍の幅広部とそれに続く幅狭部とから構成されている。
上記維持電極Ｘ、Ｙを被覆する誘電体層４に、ＭｇＯからなる保護層５が被覆されている。
尚、維持電極Ｘ、Ｙは、放電セル毎に放電ギャップＧを介して互いに対向するＴ字状の突出部を有する例を示したが維持電極Ｘ、Ｙの形状はこれに限らず、例えば単に突出部を有するような構成でも良い。
【００１５】
一方、背面側の基板９の内面上には維持電極Ｘ、Ｙと直交する方向に複数のアドレス電極８が配置され、夫々のアドレス電極８の間をストライプ状の隔壁（リブ）１０によって分離され、アドレス電極８を被覆して蛍光体層７が形成されている。また、表示面側の基板１の維持電極Ｘ、Ｙと背面側の基板９のアドレス電極８は互いに対向配置され、隔壁１０間に設けられた放電空間６に希ガスを注入し、封入される。
上述したように、表示面側の基板１の維持電極Ｘ、Ｙと背面側の基板９のアドレス電極８の交点を中心として画素セル（放電セルを含む）が形成されるので、面放電型ＰＤＰは複数の画素セルを有し、画像の表示が可能となる。
【００１６】
図３は図２の電極構造を有するＰＤＰを駆動する駆動波形の一例を示す図（第１の実施形態による駆動方法）である。
図３において、先ず、正極性のリセットパルスＲＰｘを全ての維持電極である行電極Ｘ１〜Ｘｎに印加すると同時に、負電圧のリセットパルスＲＰｙを行電極Ｙ１〜Ｙｎの各々に印加する。かかるリセットパルスの印加によりＰＤＰ１１の全ての行電極対間に放電が生じる。
かかる放電により、各画素セル内において荷電粒子が発生し、その放電終息後に壁電荷が蓄積形成される（一斉リセット期間）。
ここで、リセットパルスＲＰｘ、ＲＰｙは、表示に関係ないリセットパルスによる放電発光を抑え、コントラストを向上させるために立ち上がり時間の長い
（長時定数）パルスを用いている。
【００１７】
次に、各行毎の画素データに対応した画素データパルスＤＰ１〜ＤＰｎを順次、アドレス電極である列電極Ｄ１〜Ｄｍに印加する。上記画素データパルスＤＰ１〜ＤＰｎは夫々の印加タイミングに同期して走査パルスＳＰを行電極Ｙ１〜Ｙｎへ順次印加して行く。この際、かかる画素データパルスＤＰ、及び走査パルスＳＰが夫々列電極及び行電極に同時に印加された画素セルにのみ放電が生じて、上記一斉リセット期間にて形成された壁電荷の大半が消滅する。
一方、走査パルスＳＰが印加されたものの画素データパルスＤＰが印加されない画素セルにおいては、上述の如き放電が生じないので、上記一斉リセット期間にて形成された所望の量の壁電荷はそのまま残留する。つまり、上記一斉リセット期間にて形成された所望の量の壁電荷は、画素データの内容に応じて選択的に消去されるのである（アドレス期間）。
【００１８】
次に、正極性の維持パルスＩＰｘを連続して行電極Ｘ１〜Ｘｎの夫々に印加すると共に、かかる維持パルスＩＰｘの印加タイミングとは、ずれたタイミングにて正極性の維持パルスＩＰｙを連続して行電極Ｙ１〜Ｙｎの夫々に印加する。
かかる維持パルスが連続して印加されている期間にわたり上記壁電荷が残留したままになっている画素セルのみが放電発光を維持する（維持放電期間）。
尚、この維持放電行程において、最初に、即ち第１番目に行電極に印加される維持パルスＩＰｙ、ＩＰｘ・・・に比してパルス幅を長めに設定してあるが、この理由を以下に説明する。
【００１９】
放電が生じると、放電空間内にプライミング粒子が発生するが時間が経過すると共に減少していく。プライミング粒子の数が減少するほどパルスの印加から最初の放電が生じるまでの時間（放電形成遅れ時間）及び各画素セルの放電開始時間のバラツキ（放電統計遅れ時間）が増大する。すると、維持放電期間の最初に印加される放電維持パルスで放電が生じなくなり、それ以降印加される放電維持パルスによって放電しない可能性が高くなる。そこで、最初に印加される放電維持パルスのパルス幅をそれ以降印加される放電維持パルスより長く、即ち、放電形成遅れ時間、放電統計遅れ時間及び放電そのものに必要な時間の総和より長くすることにより、最初に印加される放電維持パルスで確実に放電を生じさせることが可能となる。
【００２０】
次に、消去パルスＥＰを行電極Ｘ１〜Ｘｎの夫々に印加することにより、行電極Ｘ１〜Ｘｎ及びＹ１〜Ｙｎ上に形成された壁電荷を消滅させ、点灯及び消灯画素セルでの壁電荷の状態を略均一にする（壁電荷消去期間）。
以上の如く、かかるプラズマディスプレイパネルの駆動方法においては、全行電極に一斉に、立ち上がりが緩やかな波形を有する第１リセットパルスを印加して一斉リセットを実行し、維持放電行程においては第１番目に行電極に印加する維持パルスのパルス幅を長く設定することによって、パネルを発光表示するようにしている。
【００２１】
【発明の効果】
上述したように第１及び第２の維持電極を、放電ギャップに対する配置関係が１ライン毎に交互に入れ替わるように配列し、且つ第１の維持電極を隣接する表示ラインに対して共通に配置し、金属膜上の誘電体層の表面を他の部分に対して突出させる構造を採ることにより、寄生容量が減少し、放電開始電圧を高め上下方向への放電の広がりが抑制される。また、ＰＤＰを駆動する際、長時定数のリセットパルスを用いることにより、放電の広がりがより一層抑制することができるので、高精細化及び表示品質の向上を図ることができる。
【図面の簡単な説明】
【図１】本発明の実施形態による面放電型ＰＤＰの断面図。
【図２】本発明の実施形態による面放電型ＰＤＰの平面図。
【図３】本発明の実施形態による面放電型ＰＤＰを駆動する駆動波形を示す図。
【図４】従来例における面放電型ＰＤＰの断面図。
【図５】従来例における面放電型ＰＤＰを駆動する駆動波形を示す図。
【符号の説明】
１・・・表示面側の基板
２・・・透明電極
３・・・バス電極
４・・・誘電体層
５・・・保護層
６・・・放電空間
７・・・蛍光体層
８・・・アドレス電極
９・・・背面側の基板
１０・・隔壁（リブ）
１１・・面放電型ＰＤＰ
Ｘ、Ｙ・・維持電極
Ｇ・・・放電ギャップ
【図１】
0003608903.tif 000002
【図２】
0003608903.tif 000003
【図３】
0003608903.tif 000004
【図４】
0003608903.tif 000005
【図５】
0003608903.tif 000006